(57)【要約】【課題】簡単な構成の付加により待ち受け状態を保持しているときのインターフェイスＩＣ６の電流消費を低減した無線通信カード１を提供する。【解決手段】情報機器２のカードスロット２（１）に装着可能な無線通信カード１で、内蔵アンテナ３を介して高周波信号を送受信するとともにベースバンド信号の処理や高周波信号の送受信を制御するベースバンドＩＣ５と、インターフェイスＩＣ５と情報機器２との間をインターフェイスするインターフェイスＩＣ６と、インターフェイス用クロック信号発生回路７を備え、インターフェイス用クロック信号発生回路７は、無線通信カード１が高周波信号の送受信動作を行っているとき、インターフェイスＩＣ６にクロック信号が供給され、無線通信カード１が受信信号の待ち受け動作を行っているとき、インターフェイスＩＣ６へのクロック信号の供給を断つように制御する。【選択図】        図１
2004349819.tif 000002
【特許請求の範囲】
【請求項１】
情報機器のカードスロットに装着可能な無線通信カードであって、アンテナを内蔵し、前記アンテナを介して高周波信号の送受信を行う高周波回路部と、前記高周波回路部に結合され、ベースバンド信号の処理や高周波信号の送受信を制御するベースバンドＩＣと、前記ベースバンドＩＣと前記情報機器との間をインターフェイスするインターフェイスＩＣと、前記インターフェイスＩＣを動作させるインターフェイス用クロック信号発生回路とを備え、前記インターフェイス用クロック信号発生回路は、無線通信カードが高周波信号の送受信動作を行っているときに前記インターフェイスＩＣにクロック信号が供給され、無線通信カードが受信信号の待ち受け動作を行っているときに前記インターフェイスＩＣへのクロック信号の供給が断たれるように制御されることを特徴とする無線通信カード。
【請求項２】
前記インターフェイス用クロック信号発生回路は、独立したクロック信号発生回路であって、前記インターフェイスＩＣにクロック信号を供給するときにそのクロック信号発生回路の電源がオンになり、前記インターフェイスＩＣへのクロック信号の供給を断つときにそのクロック信号発生回路の電源がオフになるように制御されることを特徴とする請求項１に記載の無線通信カード。
【請求項３】
前記インターフェイス用クロック信号発生回路は、前記ベースバンドＩＣを動作させるベースバンドＩＣ用クロック信号発生回路と共用のものであって、前記インターフェイスＩＣにクロック信号を供給するときに前記ベースバンドＩＣ用クロック信号発生回路から前記インターフェイスＩＣに至るクロック信号の伝送経路を設定し、前記インターフェイスＩＣへのクロック信号の供給を断つときに前記ベースバンドＩＣ用クロック信号発生回路から前記インターフェイスＩＣに至るクロック信号の伝送経路を遮断するように制御されることを特徴とする請求項１に記載の無線通信カード。
【発明の詳細な説明】
【０００１】
【発明の属する技術分野】
本発明は、無線通信カードに係り、特に、情報機器のカードスロットに装着して高周波信号の送受信を行なう無線通信カードにおいて、高周波受信信号の待ち受け時に無線通信カード内で消費される電力を極力低減するようにした無線通信カードに関する。
【０００２】
【従来の技術】
近年、ＰＣ（Ｐｅｒｓｏｎａｌ  Ｃｏｍｐｕｔｅｒ）やＰＤＡ（Ｐｅｒｓｏｎａｌ  Ｄｉｄｉｔａｌ  Ａｓｓｉｓｔａｎｔ）等の情報機器においては、無線通信カードを装着可能なカードスロットを搭載することが汎用的に実施されるようになり、それによってカードスロットに無線通信カードを装着した当該情報機器と無線通信が可能な外部サーバー等との間において、無線通信によるインターネット通信やデータ通信が行われるようになっている。この場合、情報機器に使用される無線通信カードには、代表的なものとして、ＣＤＭＡ（Ｃｏｄｅ  Ｄｉｖｉｓｉｏｎ  Ｍｕｔｉｐｌｅ  Ａｃｃｅｓｓ）方式のものが知られている。
【０００３】
図３は、かかる既知の無線通信カードの要部構成の一例を示すブロック図である。
【０００４】
図３に示されるように、この無線通信カード３１は、その装着部３１（１）をＰＣ３２のカードスロット３２（１）に装着して使用されるもので、高周波無線信号の送受信を行う内蔵アンテナ３３と、高周波信号を送信する信号送信部、高周波信号を受信する信号受信部、信号周波数を変換する周波数変換部を備えた高周波回路部３４と、送信ベースバンド信号処理部、受信ベースバンド信号処理部、各部動作の制御部を備えたベースバンドＩＣ（集積回路）３５と、複数のインバータ段３６（１）、３６（２）及び外付け水晶振動子３６（３）を有し、ベースバンドＩＣ３５とＰＣ３２との間に相互伝送されるベースバンド信号をインターフェイスするインターフェイスＩＣ（集積回路）３６とを備えている。この場合、インターフェイスＩＣ３６においては、インバータ段３６（１）の入出力間に水晶振動子３６（３）が接続され、インバータ段３６（１）と水晶振動子３６（３）によりインターフェイス用クロック発振回路３６（４）が構成される。
【０００５】
そして、高周波回路部３４は、高周波信号入出力端が内蔵アンテナ３３に接続され、ベースバンド信号入出力端がベースバンドＩＣ３５の第１入出力端に接続される。ベースバンドＩＣ３５は、制御端が制御線３１（２）を通して装着部３１（１）に接続され、第２入出力端がインターフェイスＩＣ３６の第１入出力端に接続される。インターフェイスＩＣ３６は、第２入出力端が装着部３１（１）に接続され、電源端が電源ライン３１（３）を通して装着部３１（１）に接続される。
【０００６】
前記構成を有する無線通信カード３１は、次のように動作する。
【０００７】
無線通信カード３１の装着部３１（１）をＰＣ３２のカードスロット３２（１）内に装着すると、ＰＣ３２側から電源ライン３１（３）を通して無線通信カード３１に電源が供給され、それにより無線通信カード３１は、内部にある各回路部分がパワーオンリセットされ、初期設定状態になる。続いて、無線通信カード３１は、インターフェイスＩＣ３６のデフォルト設定を行い、製品名や電源情報等を認識する。このようなデフォルト設定が行われると、ＰＣ３２は、設定されたデフォルト情報や、ＰＣ３２のメモリ（図示なし）に予めインストールされているドライバソフト情報、例えば、通信レート等の情報に基づいて、インターフェイスＩＣ３６の内部レジスタ（図示なし）にそれらの情報を設定する。このような動作経緯によって、無線通信カード３１とＰＣ３２との間の接続設定が行われ、このような接続設定が行われ後で、無線通信カード３１を介してＰＣ３２と他の情報機器（図示なし）との間で高周波無線信号による通信を行うことが可能になる。
【０００８】
ここで、ＰＣ３２から他の情報機器に信号（データ）を送信する場合、ＰＣ３２から出力された送信用データは、カードスロット３２（１）及び装着部３１（１）を通して無線通信カード３１に伝送され、次いで、インターフェイスＩＣ３６を通してベースバンドＩＣ３５に伝送される。ベースバンドＩＣ３５は、供給された送信用データを送信に適した形態の情報内容に変換し、高周波回路部３４に供給する。高周波回路部３４は、この送信用データを高周波信号に周波数変換するとともに、送信に適した信号レベルになるまで増幅し、増幅した送信用データを内蔵アンテナ３３に供給し、内蔵アンテナ３３から無線信号として送信する。
【０００９】
一方、他の情報機器から送信された信号（データ）を受信する場合、内蔵アンテナ３３が無線信号を受信すると、高周波回路部３４は、受信信号を必要な信号レベルまで増幅するとともに、高周波信号をベースバンド信号に周波数変換し、そのベースバンド信号をベースバンドＩＣ３５に供給する。ベースバンドＩＣ３５は、ベースバンド信号を着信したことを検知すると、制御線３１（２）を通して着信信号をＰＣ３２側に供給し、ＰＣ３２を受信用データの受入れ状態に設定し、これと同時に、供給されたベースバンド信号をＰＣ３２に供給するのに適した形態の受信用データに変換し、得られた受信用データをインターフェイスＩＣ３６に供給する。インターフェイスＩＣ３６は、供給された受信用データを装着部３１（１）及びカードスロット３２（１）を通してＰＣ３２側に伝送し、ＰＣ３２がその受信用データを処理する。
【００１０】
この場合、無線通信カード３１は、このような無線信号の送受信が行われている期間、無線信号の送受信を実行している通常の動作状態に保持されており、一方、無線信号の送受信が行われていない期間、無線信号の受信を待つ待ち受け状態に保持されている。
【００１１】
【発明が解決しようとする課題】
前記既知の無線通信カード３１が通常の動作状態を保持しているとき、高周波回路部３４、ベースバンドＩＣ３５、インターフェイスＩＣ３６等の各部においては、それぞれデータまたは高周波信号等の処理が行われているため、無線通信カード３１内においてそれらの処理に見合った電流が消費されている。
【００１２】
一方、当該無線通信カード３１が待ち受け状態を保持しているとき、高周波回路部３４、ベースバンドＩＣ３５、インターフェイスＩＣ３６等の各回路部分においては、データまたは高周波信号等の処理が行われていないにも係わらず、これらの回路部分がいずれも動作可能な状態になっているため、通常の動作状態を保持しているとき程でないにしても、無線通信カード３１内においてそれぞれ最小限の電流が消費されていることになる。
【００１３】
この点を具体的に述べると、一例として、無線通信カード３１は、待ち受け状態を保持しているとき、約６ｍＡの電流が消費されているもので、その内訳として、インターフェイスＩＣ３６で約４ｍＡの電流が消費され、それ以外の回路部分で約２ｍＡの電流が消費されている。ところで、携帯用無線通信装置として代表的な携帯電話機においては、待ち受け状態を保持しているとき、約２ｍＡの電流が消費されているに過ぎず、それに比べると待ち受け状態を保持しているときの無線通信カード３１の電流消費は、インターフェイスＩＣ３６における電流消費分だけ多いことになり、この点で無線通信カード３１の電流消費、とりわけインターフェイスＩＣ３６の電流消費を少なくすることが要望されている。
【００１４】
本発明は、このような技術的背景に鑑みてなされたもので、その目的は、簡単な構成の付加により待ち受け状態を保持しているときのインターフェイスＩＣの電流消費を低減することを可能にした無線通信カードを提供することにある。
【００１５】
【課題を解決するための手段】
前記目的を達成するために、本発明による無線通信カードは、情報機器のカードスロットに装着可能な無線通信カードであって、アンテナを内蔵し、アンテナを介して高周波信号の送受信を行う高周波回路部と、高周波回路部に結合され、ベースバンド信号の処理や高周波信号の送受信を制御するベースバンドＩＣと、ベースバンドＩＣと情報機器との間をインターフェイスするインターフェイスＩＣと、インターフェイスＩＣを動作させるインターフェイス用クロック信号発生回路とを備え、インターフェイス用クロック信号発生回路は、無線通信カードが高周波信号の送受信動作を行っているときにインターフェイスＩＣにクロック信号が供給され、無線通信カードが受信信号の待ち受け動作を行っているときにインターフェイスＩＣへのクロック信号の供給が断たれるように制御される手段を具備する。
【００１６】
前記手段によれば、無線通信カードが高周波信号の送受信動作を行っているとき、インターフェイス用クロック信号発生回路からインターフェイスＩＣにクロック信号を供給し、無線通信カードが受信信号の待ち受け動作を行っているとき、インターフェイス用クロック信号発生回路からインターフェイスＩＣへのクロック信号の供給を断つようにしたので、受信信号の待ち受け動作を行っているときには、インターフェイスＩＣの動作を動作を実質的に停止することができ、それによりインターフェイスＩＣの消費電流を大幅に低減させることができる。
【００１７】
前記手段におけるインターフェイス用クロック信号発生回路は、独立したクロック信号発生回路であって、インターフェイスＩＣにクロック信号を供給するときにそのクロック信号発生回路の電源がオンになり、インターフェイスＩＣへのクロック信号の供給を断つときにそのクロック信号発生回路の電源がオフになるように制御される第１の構成を用いている。
【００１８】
かかる第１の構成によれば、無線通信カードが受信信号の待ち受け動作を行っているとき、インターフェイス用クロック信号発生回路からインターフェイスＩＣへのクロック信号の供給を断つ手段として、当該クロック信号発生回路の電源をオフにするようにしているので、簡単な構成の採用によって、インターフェイスＩＣの消費電流を大幅に低減させることができる。
【００１９】
前記手段におけるインターフェイス用クロック信号発生回路は、ベースバンドＩＣを動作させるベースバンドＩＣ用クロック信号発生回路と共用のものであって、インターフェイスＩＣにクロック信号を供給するときにベースバンドＩＣ用クロック信号発生回路からインターフェイスＩＣに至るクロック信号の伝送経路を設定し、インターフェイスＩＣへのクロック信号の供給を断つときにベースバンドＩＣ用クロック信号発生回路からインターフェイスＩＣに至るクロック信号の伝送経路を遮断するように制御される第２の構成を用いている。
【００２０】
かかる第２の構成によれば、無線通信カードが受信信号の待ち受け動作を行っているとき、インターフェイス用クロック信号発生回路からインターフェイスＩＣへのクロック信号の供給を断つ手段として、当該クロック信号発生回路からインターフェイスＩＣに至るクロック信号の伝送経路を遮断するようにしているので、同じく簡単な構成の採用によって、インターフェイスＩＣの消費電流を大幅に低減させることができる。
【００２１】
【発明の実施の形態】
以下、本発明の実施の形態を図面を参照して説明する。
【００２２】
図１は、本発明に係わる無線通信カードの第１の実施の形態を示すもので、その要部構成を示すブロック図である。
【００２３】
図１に示されるように、第１の実施の形態による無線通信カード１は、その装着部１（１）をパソコン（ＰＣ）２のカードスロット２（１）に着脱自在に装着することにより使用されるもので、高周波無線信号の送受信を行う内蔵アンテナ３と、高周波信号を送信する信号送信部（図示なし）、高周波信号を受信する信号受信部（図示なし）、信号周波数を変換する周波数変換部（図示なし）を備えた高周波回路部４と、送信ベースバンド信号処理部（図示なし）、受信ベースバンド信号処理部（図示なし）、各部動作の制御部（図示なし）を備えたベースバンドＩＣ（集積回路）５と、複数のインバータ段６（１）、６（２）を有し、ベースバンドＩＣ５とＰＣ２との間に相互伝送されるデータ信号をインターフェイスするインターフェイスＩＣ（集積回路）６と、インバータ段７（１）と水晶振動子７（２）を有するインターフェイス用クロック発振回路７と、電源回路８と、第１制御線９と、第２制御線１０と、電源ライン１１とを備えている。
【００２４】
そして、高周波回路部４は、高周波信号入出力端が内蔵アンテナ３に接続され、ベースバンド信号入出力端がベースバンドＩＣ５の第１入出力端に接続される。ベースバンドＩＣ５は、２つの制御端がそれぞれ第１制御線９及び第２制御線１０を通して装着部１（１）に接続され、第２入出力端がインターフェイスＩＣ６の第１入出力端に接続される。インターフェイスＩＣ６は、第２入出力端が装着部１（１）に接続され、クロック信号入力端がインターフェイス用クロック発振回路７の出力端に接続され、電源端が電源ライン１１を通して装着部１（１）に接続される。インターフェイス用クロック発振回路７は、電源端が電源回路８の出力端に接続される。電源回路８は、入力端が電源ライン１１に接続され、制御端が第２制御線１０に接続される。
【００２５】
前記構成を有する第１の無線通信カード１は、次のように動作する。
【００２６】
ただし、第１の無線通信カード１の動作においては、無線通信カード１の装着部１（１）をＰＣ２のカードスロット２（１）内に装着したときの動作、ＰＣ２から図示されていない他の情報機器に信号（データ）を送信する場合の動作、他の情報機器から送信された信号（データ）を受信する場合の動作は、いずれも、前に説明した既知のこの種の無線通信カード３１の対応するそれらの動作と同じである。このため、この無線通信カード１におけるそれらの動作の説明は、前記説明と重複することになるので、ここでは、それらの動作の説明を省略し、主としてインターフェイスＩＣ６に関連する動作について説明する。
【００２７】
いま、内蔵アンテナ３が無線信号を受信すると、高周波回路部４は、この受信信号を必要な信号レベルまで増幅するとともに、高周波信号をベースバンド信号に周波数変換し、そのベースバンド信号をベースバンドＩＣ５に供給する。ベースバンドＩＣ５は、ベースバンド信号が着信したことを検知すると、第１制御線９に着信信号を送出し、その着信信号を第１制御線９を通り、装着部１（１）及びカードスロット２（１）を通してＰＣ２に供給する。ＰＣ２は、着信信号を受信すると、受信用データの受入れ状態に設定するとともに、カードスロット２（１）及び装着部１（１）を通して第２制御線１０に制御信号を送出する。そのとき、この制御信号は、ベースバンドＩＣ５及び電源回路８に供給される。ベースバンドＩＣ５は、制御信号の供給によってベースバンド信号をインターフェイスＩＣ６を通してＰＣ２側に伝送するように動作し、電源回路８は、制御信号の供給によって動作電力をインターフェイス用クロック発振回路７に供給し、それによりインターフェイス用クロック発振回路７がクロック信号の発振動作を行い、得られたクロック信号をインターフェイスＩＣ６に供給する。インターフェイスＩＣ６は、クロック信号の供給により、ベースバンドＩＣ５から供給されたデータ信号をクロック信号の周期に対応してＰＣ２側に伝送する。このようにインターフェイス用クロック発振回路７がクロック信号の発振動作を行っている期間は、無線信号の送受信が逐次行われている期間であって、通常の動作状態に設定されている期間である。
【００２８】
ここで、内蔵アンテナ３における無線信号を受信が一定期間途絶え、高周波回路部４からベースバンドＩＣ５に供給されるベースバンド信号も一定期間途絶えると、ベースバンドＩＣ５は、それまで第１制御線９に送出していた着信信号の送出を停止し、停止した旨を第１制御線９、装着部１（１）及びカードスロット２（１）を通してＰＣ２に伝送する。ＰＣ２は、着信信号の停止を検知すると、受信用データの受入れ停止状態に設定するとともに、それまでカードスロット２（１）及び装着部１（１）を通して第２制御線１０に送出していた制御信号の送出を停止する。このときも、制御信号の送出の停止は、ベースバンドＩＣ５及び電源回路８に伝送される。ベースバンドＩＣ５は、制御信号の供給停止によってデータ信号をインターフェイスＩＣ６を通してＰＣ２側に伝送する経路を閉じ、電源回路８は、制御信号の供給停止によってインターフェイス用クロック発振回路７への動作電力の供給を停止し、それによりインターフェイス用クロック発振回路７がクロック信号の発振動作を行わなくなり、クロック信号がインターフェイスＩＣ６に供給されなくなる。このようにインターフェイス用クロック発振回路７がクロック信号の発振動作を停止している期間は、無線信号の送受信が一定期間行われていない期間であって、受信信号の待ち受け動作状態に設定されている期間である。
【００２９】
ところで、インターフェイス用クロック発振回路７への電源供給が断たれ、クロック信号の発振動作が停止すると、インターフェイスＩＣ６へのクロック信号の供給も断たれるので、インターフェイスＩＣ６の各部も動作停止状態になり、インターフェイスＩＣ６における電流消費が極めて小さくなるとともに、インターフェイス用クロック発振回路７における電流消費も皆無になる。
【００３０】
このように、第１の実施の形態による無線通信カード１は、受信信号の待ち受け動作状態に設定されたとき、インターフェイス用クロック発振回路７への電源供給を断つという簡単な構成を用いることにより、インターフェイスＩＣ６における電流の消費を既知のこの種の無線通信カード３１に比べて大幅に低減させることができ、その結果、無線通信カード１の電力消費を大幅に低減することが可能になる。
【００３１】
次に、図２は、本発明に係わる無線通信カードの第２の実施の形態を示すもので、その要部構成を示すブロック図であり、インターフェイス用クロック発振回路７を、ベースバンドＩＣを動作させるベースバンドＩＣ用クロック信号発生回路と共用させるようにしてより構成の簡素化を図ったものである。
【００３２】
図２に示されるように、第２の実施の形態による無線通信カード１は、その装着部１（１）をパソコン（ＰＣ）２のカードスロット２（１）に着脱自在に装着することにより使用されるもので、高周波無線信号の送受信を行う内蔵アンテナ３と、高周波信号を送信する信号送信部（図示なし）、高周波信号を受信する信号受信部（図示なし）、信号周波数を変換する周波数変換部（図示なし）を備えた高周波回路部４と、インバータ段５（２）と位相同期ループ（ＰＬＬ）５（３）と水晶振動子５（４）を有し、ベースバンドＩＣ５を動作させるベースバンドＩＣ用クロック信号発生回路５（１）と、送信ベースバンド信号処理部（図示なし）、受信ベースバンド信号処理部（図示なし）、各部動作の制御部（図示なし）を備えたベースバンドＩＣ（集積回路）５と、複数のインバータ段６（１）、６（２）を有し、ベースバンドＩＣ５とＰＣ２との間に相互伝送されるベースバンド信号をインターフェイスするインターフェイスＩＣ（集積回路）６と、第１制御線９と、第２制御線１０と、電源ライン１１とを備えている。
【００３３】
すなわち、第２の実施の形態による無線通信カード１は、インターフェイス用クロック発振回路を、ベースバンドＩＣを動作させるベースバンドＩＣ用クロック信号発生回路５（１）と共用するようにしたもので、第１の実施の形態による無線通信カード１の構成と比べ、インターフェイス用クロック発振回路７及び電源回路８を省略しているものである。この場合、ベースバンドＩＣ用クロック信号発生回路５（１）は、その出力端が切替回路（図示なし）を通してインターフェイスＩＣ６のクロック信号入力端に接続され、インターフェイスＩＣ６にベースバンドＩＣ用クロック信号発生回路５（１）からのクロック信号が選択的に供給されるようにしている。
【００３４】
この第２の無線通信カード１の動作においても、無線通信カード１の装着部１（１）をＰＣ２のカードスロット２（１）内に装着したときの動作、ＰＣ２から図示されていない他の情報機器に信号（データ）を送信する場合の動作、他の情報機器から送信された信号（データ）を受信する場合の動作は、いずれも、前に説明した既知のこの種の無線通信カード３１の対応するそれらの動作と同じであるので、第２の無線通信カード１におけるそれらの動作の説明を省略し、ここでは、主としてベースバンドＩＣ及びインターフェイスＩＣ６に関連する動作について説明する。
【００３５】
内蔵アンテナ３が無線信号を受信すると、高周波回路部４は、この受信信号を必要な信号レベルまで増幅するとともに、高周波信号をベースバンド信号に周波数変換し、そのベースバンド信号をベースバンドＩＣ５に供給する。ベースバンドＩＣ５は、ベースバンド信号が着信したことを検知すると、第１制御線９に着信信号を送出し、その着信信号を第１制御線９を通り、装着部１（１）及びカードスロット２（１）を通してＰＣ２に供給する。ＰＣ２は、着信信号を受信すると、受信用データの受入れ状態に設定するとともに、カードスロット２（１）及び装着部１（１）を通して第２制御線１０に制御信号を送出し、制御信号をベースバンドＩＣ５に供給する。ベースバンドＩＣ５は、制御信号の供給によって、データ信号をインターフェイスＩＣ６を通してＰＣ２側に伝送するように動作するとともに、ベースバンドＩＣ用クロック信号発生回路５（１）とインターフェイスＩＣ６とを結合している切替回路を接続状態に切替え、それによりベースバンドＩＣ用クロック信号発生回路５（１）が出力するクロック信号をインターフェイスＩＣ６に供給する。インターフェイスＩＣ６は、クロック信号の供給により、ベースバンドＩＣ５から供給されたデータ信号をクロック信号の周期に対応してＰＣ２側に伝送する。この場合も、ベースバンドＩＣ用クロック信号発生回路５（１）がクロック信号をインターフェイスＩＣ６に供給している期間は、無線信号の送受信が逐次行われている期間であって、通常の動作状態に設定されている期間である。
【００３６】
このような状態のとき、内蔵アンテナ３における無線信号を受信が一定期間途絶え、高周波回路部４からベースバンドＩＣ５に供給されるベースバンド信号も一定期間途絶えると、ベースバンドＩＣ５は、それまで第１制御線９に送出していた着信信号の送出を停止し、停止した旨を第１制御線９、装着部１（１）及びカードスロット２（１）を通してＰＣ２に伝送する。ＰＣ２は、着信信号の停止を検知すると、受信用データの受入れ停止状態に設定するとともに、それまでカードスロット２（１）及び装着部１（１）を通して第２制御線１０に送出していた制御信号の送出を停止する。このときも、制御信号の送出の停止は、ベースバンドＩＣ５に伝送される。ベースバンドＩＣ５は、制御信号の供給停止によってベースバンドＩＣ用クロック信号発生回路５（１）とインターフェイスＩＣ６とを結合している切替回路を非接続状態に切替え、クロック信号がインターフェイスＩＣ６に供給されなくなる。この場合も、インターフェイス用クロック発振回路７がクロック信号の発振動作を停止している期間は、無線信号の送受信が一定期間行われていない期間であって、受信信号の待ち受け動作状態に設定されている期間である。
【００３７】
ベースバンドＩＣ用クロック信号発生回路５（１）とインターフェイスＩＣ６とを結合している切替回路が非接続状態に切替えられると、インターフェイスＩＣ６の各部も動作停止状態になり、インターフェイスＩＣ６における電流消費が極めて小さくなるとともに、ベースバンドＩＣ用クロック信号発生回路５（１）における電流消費もクロック信号がインターフェイスＩＣ６に供給されないために若干少なくなる。
【００３８】
このように、第２の実施の形態による無線通信カード１は、受信信号の待ち受け動作状態に設定されたとき、インターフェイスＩＣ６へのクロック信号の供給を断つという簡単な構成を用いることにより、インターフェイスＩＣ６における電流の消費を既知のこの種の無線通信カード３１に比べて大幅に低減させることができ、その結果、無線通信カード１の電力消費を大幅に低減することが可能になる。
【００３９】
なお、本発明に適用される無線通信カード１は、ＣＤＭＡ（Ｃｏｄｅ  Ｄｉｖｉｓｉｏｎ  Ｍｕｌｔｉｐｌｅ  Ａｃｃｅｓｓ）通信カードに用いて好適なものであるが、その適用範囲はＣＤＭＡ通信カードに限られず、ＣＤＭＡ伝送方式に類似の伝送方式の通信カードに用いてもよいことは勿論である。
【００４０】
また、前記各実施の形態においては、情報機器がパソコン（ＰＣ）である例を挙げて説明したが、本発明による情報機器はパソコン（ＰＣ）である場合に限られるものでなく、パソコン（ＰＣ）と同機能を備えた他の情報機器であってもよいことは勿論である。
【００４１】
【発明の効果】
以上のように、本発明によれば、無線通信カードが高周波信号の送受信動作を行っているとき、インターフェイス用クロック信号発生回路からインターフェイスＩＣにクロック信号を供給し、無線通信カードが受信信号の待ち受け動作を行っているとき、インターフェイス用クロック信号発生回路からインターフェイスＩＣへのクロック信号の供給を断つようにしたので、受信信号の待ち受け動作を行っているときには、インターフェイスＩＣの動作を動作を実質的に停止することができ、それによりインターフェイスＩＣの消費電流を大幅に低減させることができるという効果がある。
【図面の簡単な説明】
【図１】本発明による無線通信カードの第１の実施の形態を示すもので、その要部構成を示すブロック図である。
【図２】本発明による無線通信カードの第２の実施の形態を示すもので、その要部構成を示すブロック図である。
【図３】既知の無線通信カードの要部構成の一例を示すブロック図である。
【符号の説明】
１  無線通信カード
１（１）  装着部
２  パソコン（ＰＣ）
２（１）  カードスロット
３  内蔵アンテナ
４  高周波回路部（ＲＦ）
５  ベースバンドＩＣ（集積回路）
５（１）  ベースバンドＩＣ用クロック信号発生回路
５（２）、６（１）、６（２）、７（１）  インバータ段
５（３）  位相同期ループ（ＰＬＬ）
５（４）、７（２）  水晶振動子
６  インターフェイスＩＣ（集積回路）
７  インターフェイス用クロック発振回路
８  電源回路
９  第１制御線
１０  第２制御線
１１  電源ライン
【図１】
2004349819.tif 000003
【図２】
2004349819.tif 000004
【図３】
2004349819.tif 000005